(57)【特許請求の範囲】
【請求項１】
識別片に記録された貯油タンクの情報を、注油センサにより読取って前記貯油タンクに荷卸しを行うローリの混油防止装置において、
前記識別片が、複数のデータ構成片を配置する列を挿入方向に複数列用意されており、前記識別片の挿入方向の先端の列に配置されたデータ構成片を含むようにして他の列のデータ構成片とともに前記貯油タンクの情報を構成し、
また前記注油センサが、前記識別片の全てのデータ構成片を検出できる検出部を備え、前記先端の列に位置する前記データ構成片が検出できた場合にのみ、前記先端の列に位置する前記データ構成片と他の列のデータ構成片とで構成されている前記貯油タンクの情報を読出すローリの混油防止装置。
【発明の詳細な説明】
【０００１】
【発明が属する技術の分野】
本発明は、給油所に設置されている貯油タンクへの燃料油補給時に油種を判定し、異油種の注油を防止するローリの混油防止装置、より詳細には識別片の構造に関する。
【０００２】
【従来の技術】
タンクローリから貯油タンクに燃料油を補給する場合には、混油を防止するため、例えば特開平9-40100号公報に見られるように、貯油タンク側に油種識別情報を記録した油種識別片を設備させ、注油時にこの油種識別片のデータを、注油ホースに設けられた注油センサにより読取ってローリに伝送させ、ローリの制御手段によりハッチタンクの油種と貯油タンクの油種との一致が確認できた場合にだけ、ハッチタンクを開弁可能とするように構成されている。
【０００３】
【発明が解決しようとする課題】
これによれば、異なる油種の燃料油を注油することが防止できるものの、ハッチタンクの油量が確認できないため、ハッチタンクの油量が貯油タンクよりも多い場合には、貯油タンクがオーバフローを起こすという問題がある。
このような問題を解消するために、識別片のデータを構成するための磁性片の数を増やすことが行われているが、識別片の数が多くなって間隔が狭くなると、識別片が規定の位置にセットされていない状態でも一応の読取りが可能となるため、不適切な状態での挿入でも読取が可能となり、読取った情報に誤りを生じる。これを防止するため、上記公報にみられるように、識別片が規定の位置に装填されたことを検出するためのセンサを注油センサに設けて正常な装填を検出する必要があり、構造の複雑化とコスト上昇を招くという問題がある。
本発明はこのような問題に鑑みてなされたものであって、その目的とするところは識別片が規定の位置に装填されたことを検出するセンサを必要とすることなく、識別片のデータを確実に読み取ることができるローリの混油防止装置を提供することである。
【０００４】
【課題を解決するための手段】
このような問題を解消するために本発明においては、識別片に記録された貯油タンクの情報を、注油センサにより読取って前記貯油タンクに荷卸しを行うローリの混油防止装置において、前記識別片が、複数のデータ構成片を配置する列を挿入方向に複数列用意されており、前記識別片の挿入方向の先端の列に配置されたデータ構成片を含むようにして他の列のデータ構成片とともに前記貯油タンクの情報を構成し、また前記注油センサが、前記識別片の全てのデータ構成片を検出できる検出部を備え、前記先端の列に位置する前記データ構成片が検出できた場合にのみ、前記先端の列に位置する前記データ構成片と他の列のデータ構成片とで構成されている前記貯油タンクの情報を読出すようにした。
【０００５】
【作用】
複数のデータ構成片を配置することができる列を挿入方向に複数列用意し、貯油タンクの情報を、識別片の挿入方向の先端の列に配置されたデータ構成片を含むように構成して、先端の列のデータ構成片により識別片が規定の位置に装填されたか否かを判定し、またこの先端の列のデータ構成片と他の列のデータ構成片とによりタンクの情報を読み取る。
【０００６】
【実施例】
そこで以下に本発明の詳細を図示した実施例に基づいて説明する。
図１は、本発明のローリの混油防止装置を構成する識別片の一実施例を示すものであって、識別片１は、把持部２とデータ部３とから構成され、少なくともデータ部３は非磁性材料、例えばアルミの板状に挿入方向（図において矢印Ａ）に平行な方向に複数列、また挿入方向に直交する方向に複数列、つまりマトリックス状にデータ構成片を固定する凹部４、４、４が形成されている。
【０００７】
データ部３に連続する把持部２は、データ部３との境界２ａを若干肉厚とするとともに、挿入時の把持を容易にするために凹部２ｂが形成され、さらに端部には固定用の紐を挿通する通孔５を穿設して構成されている。
【０００８】
データ部３に形成された凹部のうち、挿入方向の先端３ａの列の凹部４-1、４-2の少なくとも一方には、構成すべき情報の如何に関わりなく磁性片６を配置し、他の凹部４には貯油タンクの番号、当該貯油タンクの油種、さらには必要に応じて貯油タンクの容量を表わすデータを構成するように磁性片６が固定されている。
【０００９】
すなわち、図２に示したように先端３ａに形成された複数の凹部のいずれか一方を含むようにして、図中ハッチング入りの丸印で示す凹部に磁性片６を配置してタンク番号（図において把持部に付した数字）の情報を構成し、また必要に応じて図中点線で描かれた丸印の領域を他の情報、たとえば貯油タンクの容量や油種の情報が構成されている。
【００１０】
一方、識別片のデータを読み取るために注油ホースに設けられる注油センサ１０は、図３（イ）に示したように挿入口１１を備えた胴部１２に、識別片１が規定の位置に挿入されたとき、識別片の全ての凹部に対向する位置に磁性感応センサ１３、１３、１３を配置するとともに、これらセンサ１３の信号を読み取る読取り手段１４と、外部から認識可能な表示手段や発音手段等の報知手段１５を設け、伝送回線、この実施例ではケーブル１６により外部に信号を出力できるように構成されている。
【００１１】
この実施例において、注油ホースによりローリの吐出管と注油タンクの注油管とを接続して、注油管に備え付けられている識別片１を注油口センサ１０に装入すると、読取手段１４は、先ず規定の位置のセンサ１３−１、または１３−２の少なくともいずれか一方からの信号の有無を検出する。正常に装填されている場合には（図４（イ））、センサ１３-1、または１３-2のいずれからの信号が検出できるから、他のセンサ１３からの信号を読取る。これにより、当該貯油タンクの貯油タンクの番号、当該貯油タンクの油種、さらには貯油タンクの容量を検出することができる。
【００１２】
一方、識別片が規定の位置よりもΔｇほど挿入口側にセットされた場合には（図４（ロ））、規定の位置のセンサ１３-1、または１３-2からの信号が検出できないので、ローリの制御手段、また読取手段１４が報知手段１５を作動させて警報を発する。したがって、警報に応じて識別片１を規定の位置まで押し込むか、再挿入することにより、上述のごとく識別片のデータを正常に読み取ることができる。
【００１４】
また、上述の実施例においてはデータを磁性片の埋め込み配列により形成するようにしているが、識別片を保磁材料により構成し、データに対応させて着磁するようにしてもよく、また識別片にデータに対応して凹部、または凸部を形成し、これをスイッチや感圧センサにより検出したり、さらには識別片にデータに対応して反射面を形成し、これを光センサにより検出したりするものに適用しても同様の作用を奏する。
【００１５】
【発明の効果】
以上、説明したように本発明によれば、複数のデータ構成片を配置することができる列を挿入方向に複数列用意し、貯油タンクの情報を、識別片の挿入方向の先端の列に配置されたデータ構成片を含むように構成したので、識別片の挿入方向の先端の列のデータ構成片の検出の有無により識別片が規定の位置に装填されていないことを検出することができ、識別片の挿入を検出するセンサを不要とすることができ、また、先端の列には複数のデータ構成片を配置する領域が確保されているため、他の列のデータ構成片とでタンクの情報を構成できる。
【図面の簡単な説明】
【図１】図（イ）、（ロ）は、それぞれ本発明のローリの混油防止装置を構成する識別片の一実施例を示す上面図と、断面図である。
【図２】同上識別片による情報の構成形態を示す図である。
【図３】図（イ）、（ロ）は、それぞれ本発明のローリの混油防止装置を構成する注油センサの一実施例を示す断面図である。
【図４】図（イ）、（ロ）は、それぞれ注油センサに識別片が正常に装填された状態、不適切に装填された状態を示す説明図である。
【符号の説明】
１  識別片
３  データ部
６  情報構成用の磁性片
１０  注油センサ
１３  磁性感応センサ
１６  ケーブル
【図１】
0003707658.tif 000002
【図２】
0003707658.tif 000003
【図３】
0003707658.tif 000004
【図４】
0003707658.tif 000005